(57)【要約】【課題】身体障害者、子供、老人等が建具の扉を開く際にアシストになる扉錠を提案すること。【解決手段】扉の自由端部に設けられかつ錠箱から突出して扉枠の受け具にその先端部が係合する錠杆、該錠杆用のロッキングピース、該ロッキングピースの係止状態を解除する係止解除機構を構成する作動部材、前記扉に設けられかつ前記作動部材を介して前記ロッキングピースの係止状態を解除する操作部材、該操作部材の操作力によって前記ロッキングピースが解除位置になったことを検知することができるように前記錠箱内に配設された検知センサーを備える錠前と、前記扉の自由端部に設けられた扉開放用アシスト装置と、前記検知センサーからの検知信号を取得すると前記扉開放用アシスト装置を制御する制御部とから成る扉錠。【選択図】図１
2014118780.tif 000002
【特許請求の範囲】
【請求項１】
扉の自由端部に設けられかつ錠箱から突出して扉枠の受け具にその先端部が係合する錠杆、該錠杆用のロッキングピース、該ロッキングピースの係止状態を解除する係止解除機構を構成する作動部材、前記扉に設けられかつ前記作動部材を介して前記ロッキングピースの係止状態を解除する操作部材、該操作部材の操作力によって前記ロッキングピースが解除位置になったことを検知することができるように前記錠箱内に配設された検知センサーを備える錠前と、前記扉の自由端部に設けられた扉開放用アシスト装置と、前記検知センサーからの検知信号を取得すると前記扉開放用アシスト装置を制御する制御部とから成る扉錠。
【請求項２】
請求項１に於いて、錠杆は反転ラッチであり、さらに錠箱には、制御部と電気的に接続する電動式駆動源と、該電動式駆動源の駆動力によって作動するロッキングピース用の制御部材が設けられ、前記電動式駆動源は、前記制御部からの起動信号を取得すると前記制御部材を介してロッキングピースの係止状態を解除することを特徴とする扉錠。
【請求項３】
請求項１に於いて、扉開放用アシスト装置は、扉枠に設けられた当接部に圧接する押圧部材と、制御部からの起動信号によって駆動しかつ該押圧部材を前記受け面方向へ移動させるアシスト駆動源とを備える扉用の内外気圧差解消装置であることを特徴とする扉錠。
【発明の詳細な説明】
【技術分野】
【０００１】
本発明は、身体障害者、子供、老人等が建具の扉を開く際にアシストになる扉錠に関する。
【背景技術】
【０００２】
【特許文献１】特許文献１には、扉に設けた錠箱に本施錠（デッドボルト）と仮施錠（反転ラッチ）の二種類の錠杆をそれぞれ設け、一方、前記錠箱内、前記扉、建具の壁面等の適宜個所に錠制御部を設け、この錠制御部は前記本施錠の施錠状態検出部における解錠状態の検出を条件として、前記仮施錠駆動用（反転ラッチの係止状態を解くための）アクチュエータへのラッチストッパー解錠信号を出力することができる扉錠が記載されている。そして、前記施錠状態検出部は、扉操作ハンドル１２又はその近傍に配設されている旨が記載されている（段落００２０、段落０２１）。
【０００３】
しかしながら、この特許文献１の公知発明は、扉錠を「電気錠」として利用する場合を想定し、錠制御部は、携帯端末１４との信号のやりとりで本施錠及び仮施錠駆動用）アクチュエータの駆動を制御するものである点、検知センサーは操作部材やその近傍に設けられている点、検知センサーは本施錠（デッドボルト）が解錠状態になったことを検知する点、構造が複雑である等で、本発明と相違する。
【０００４】
またこの特許文献１の発明の課題・効果は、解錠操作時における本施錠（デッドボルト）３の没入動作の信頼性を高めること、錠制御部は携帯端末１４を利用して二種類の錠杆の本施錠・仮施錠状態をそれぞれ解除すること、扉が不用意に開放しないこと等で、本発明と相違する。
【０００５】
特許文献２の図２のラッチ錠は、例えば錠杆としての反転ラッチ２０と、この反転ラッチを常時係止状態に保持するロッキングピース２５と、このロッキングピースの係止状態を解くための仮施錠（反転ラッチ）の仮施状態を解く二種類の解錠操作機構と、操作部材や扉の適宜個所に配設された検知センサー８０とから成り、前記解錠操作機構は、電動式駆動源（ソレノイド）４４と、該電動式駆動源に連動する係止解錠手段（テコ式レバー４６、スライド式押動杆５０）とから成る電動式解錠操作機構と、一方、操作ハンドルで所要量回動するダルマと、このダルマに連動するスライダー１４とから成る手動式解錠操作機構とから成る旨が記載されている。
【０００６】
そして、扉係止装置１０の解錠状態を検出する検知センサーは、特許文献２の図５及び図６に示されているように、把手（６、７）の取付け座８と扉の壁面に固定された当て板６３との間の空間部分に配設されたマイクロセンサー８０、或いは図１７及び図１８で示すように扉の壁面と把手把手（６、７）の握り部分の間に配設された静電容量センサー８０、８３である旨が記載されている。この特許文献２の発明の課題は段落０００６に記載されているように、仮施錠（反転ラッチ）の仮施状態を解くために、人間の外力による操作力を不要にする点で本発明と同様である。しかしながら、制御部８５は、検出回路８６、電源回路８７、駆動制御回路８８などを有するものの（図２２）、それ以上の事項を発明の課題としていない。
【０００７】
特許文献３には、アシスト装置としての扉用の内外気圧差解消装置が記載されている。例えば第２図を参照にすると、この扉用の内外気圧差解消装置は、扉２の壁面に固定された座板及びハンドル軸１８を介して所定量回転可能に設けられたハンドル１５と、該ハンドルの前記ハンドル軸１８の内端部に固定され、かつ収納箱１７内に位置するピニオン１４と、このピニオンに係合（噛合）するラック１３を一側上面に有すると共に、その先端１６が傾斜状に形成された摺動式押圧部材１２と、該押圧部材１２の前記傾斜面と対向する扉枠側の傾斜面（当接部）７を備え、開扉時、前記ハンドル１５の操作力によって位置変位する前記摺動式押圧部材１２の傾斜状係合先端面が扉枠側の前記傾斜面（当接部）７に圧接すると、前記斜面同士の当り面４が扉２の開く方向に前記摺動式押圧部材１２の突出分力の一部が作用する。
【０００８】
しかしながら、この特許文献３は、開扉時に把手を握って（手動で）ラッチを受け具から外さなければならないので、例えば部屋と外との内外の差圧を解消させる場合、手の不自由な人には不便であるという問題点があった。なお、符号は各特許文献のものである。
【先行技術文献】
【特許文献】
【０００９】
【特許文献１】特許第５００７１９８号公報
【特許文献２】特開２００３−１４８０１５号公報
【特許文献３】実開平３−１０１６６９号公報
【発明の開示】
【発明が解決しようとする課題】
【００１０】
本願発明の所期の目的は、反転ラッチやデッドラッチが解錠状態になったことを確実に検知することによって、扉開放用アシスト装置を自動的に駆動させ、把手を引く、或いは把手を押さなくても、扉を所要量開くことができることである。付言すると、主として身体障害者、子供、老人等が建具の扉を開く際のアシストになる扉錠を提案することである。また、本願発明の第２の目的は、電気錠に利用することができることである。そして、本願発明のさらなる目的は、特に、開扉の際、差圧解消のために操作部材の操作力を利用する必要がないことである。
【課題を解決するための手段】
【００１１】
本発明の扉錠は、扉の自由端部に設けられかつ錠箱から突出して扉枠の受け具にその先端部が係合する錠杆、該錠杆用のロッキングピース、該ロッキングピースの係止状態を解除する係止解除機構を構成する作動部材、前記扉に設けられかつ前記作動部材を介して前記ロッキングピースの係止状態を解除する操作部材、該操作部材の操作力によって前記ロッキングピースが解除位置になったことを検知することができるように前記錠箱内に配設された検知センサーを備える錠前と、前記扉の自由端部に設けられた扉開放用アシスト装置と、前記検知センサーからの検知信号を取得すると前記扉開放用アシスト装置を制御する制御部とから成ることを特徴とする。
【発明の効果】
【００１２】
（ａ）身体障害者、子供、老人等が建具の扉を開く際にアシストになる扉錠を提案することができる。
（ｂ）請求項２に記載の発明は、電気錠に利用することができる。付言すると、反転ラッチを採用するので、例えばドアクローザを扉枠と扉の壁面に配設し、扉を電気的に自動に開放することができる電気錠に利用することができる。
（ｃ）請求項３に記載の発明は、差圧解消のために操作部材の操作力を利用する必要がないので、特に、身体障害者や子供や老人にとって非常に便利である。また、メカ的な動力伝達部材間の配設箇所やタイミングラグ（隙間の設定）に考慮する必要がないので、アシスト装置を構成する動力伝達部材と押圧部材との組み合わせの自由度が増す（設計の自由化）。
【発明を実施するための最良の形態】
【００１３】
以下、図１乃至図１３に示す第１実施形態の扉錠Ｘにより、本発明を詳細に説明する。
（１）主要部の説明
図１は、扉の外壁面側から見た全体の概略説明図である。図２は斜視からの概略説明図で、左側が受け具２等を有する扉枠１で、一方、右側が錠前Ｙと扉開放用アシスト装置Ｚを有する扉３である。図３は錠前Ｙの構成を示す概略断面説明図で、本実施形態では「ラッチ錠」と称されるものである。図４は扉枠１、扉３、錠前Ｙ、取付け座５を介して扉３の壁面に装着された内外の操作部材の平面視からの概略説明図である。図５は扉開放用アシスト装置Ｚの概略説明図である。図６は扉開放用アシスト装置Ｚの平面視からの概略説明図である。
【００１４】
まず図１に於いて、Ｘは扉錠で、この扉錠Ｘは、扉３の自由端部３ａに設けられた錠前Ｙと、同じく前記自由端部３ａに設けられた扉開放用アシスト装置Ｚ、前記錠前Ｙ及びアシスト装置Ｚの両方にそれぞれ電気的に接続する制御部１３と、前記扉３に取付け座５を介して設けられた内外の操作部材１０、１１（図４参照）を備えている。
【００１５】
さて、１は矩形枠状の扉枠で、この扉枠１の戸先と対向する縦枠の中央部には、周知のように受け具２が固定されている。３は扉枠１に蝶番４を介して開閉可能に取付けられた玄関、室内等の扉（開き戸）で、この扉３の自由端部３ａの中央部には、錠前（例えばラッチ錠）Ｙが埋設（掘り込み）されている。
【００１６】
錠前Ｙは、例えば外側の操作部材１１の操作力により、又は電動式駆動源１９の駆動力により、後述するロッキングピース８を解錠位置へと位置変位させる係止解除機構４０を備え、該係止解除機構を介してロッキングピース８が錠杆７の係止状態を解いたときに、それを検出する検知センサー１２が錠箱６内に配設されている。そして、前記電動式駆動源１９と前記検知センサー１２には制御部１３が電気的に接続している。
【００１７】
付言すると、例えば図３及び図４で示すように、本発明の扉錠Ｘは、扉３の自由端部３ａに設けられかつ錠箱６から突出して扉枠１の受け具２にその先端部が係合する錠杆７、該錠杆用のロッキングピース８、該ロッキングピースの係止状態を解除する係止解除機構４０を構成する作動部材４２・４３、前記扉３に設けられかつ前記作動部材を介して前記ロッキングピース８の係止状態を解除する内外いずれかの操作部材１０、１１、該操作部材の操作力によって、前記ロッキングピース８が解除位置になったことを検知することができるように錠箱６内に該ロッキングピース８に対して配設された検知センサー１２を備える。
【００１８】
また、図５及び図６で示すように、本発明の扉錠Ｘは、扉３の自由端部３ａに設けられた扉開放用アシスト装置Ｚを備え、該扉開放用アシスト装置Ｚは、少なくとも扉枠１に設けられた当接部１５の受け面１５ａに圧接する押圧部材１６と、制御部１３からの起動信号によって駆動しかつ該押圧部材１６を前記受け面１５ａの方向へ移動させるアシスト駆動源１７とから成る。
【００１９】
さらに、前記制御部１３は、錠前Ｙ、扉開放用アシスト装置Ｚ、扉３、扉以外の建物の壁面などの適宜箇所に設けられ、本実施形態では、図１３の制御回路のブロック図で示すように、扉開放用アシスト装置Ｚのアシストケース１８内のアシスト駆動源１７及び錠前Ｙの錠箱６に内設された電動式駆動源１９にそれぞれ電気的に接続すると共に、前記錠箱６内のロッキングピース８に対して接離可能に配設された検知センサー１２にも電気的に接続している。１４は制御部１３に接続する電源（電池や商用電源）である。
【００２０】
（２）錠前Ｙの具体的構成
図３は、錠前Ｙの一例としてのラッチ錠を示す概略説明図で、このラッチ錠Ｙは、電気式駆動源１９の駆動力又は操作部材１０、１１の操作力のいずれであっても、錠杆７を係止するロッキングピース８に対して係止解除機構４０が作動する。実施形態では、少なくとも内外の操作部材１０、１１の操作力に基づいて錠杆７の係止解除機構４０が作動する。好ましい実施形態としては、図３で示すように、錠杆７は反転ラッチであり、該反転ラッチ７を係止しているロッキングピース８は、内外の操作部材１０、１１又は電動式駆動源１９の駆動力のいずれかにより、その係止状態が解除される。
【００２１】
そこで、図３を参照にして、ロッキングピース８に対する係止解除機構４０を説明する。図３に於いて、３は扉、Ｙはラッチ錠、６はラッチ錠の横長状錠箱、７は錠杆としての反転ラッチである。前記錠箱６の幅広側壁の中央部の上部寄りの部位と下部寄りの部位には、上下一対の貫通窓６ａがそれぞれ横長矩形状に形成されている。これらの貫通窓６ａには、操作部材の挿入駆動片１０ａ、１１ａが貫通状態に入り込む。
【００２２】
また前記反転ラッチ７は、不番のフロント板を基準に進退動し、扉枠１の受け具２と係合する。ここでの反転ラッチ７は、錠箱６の内部へそのままストレートに後退するもの（普通一般に、「デッドラッチ」と称されている。）、多少所要角度まで水平回転（反転）しながら後退するもの（「反転ラッチ」と称されている。）如何を問わず、扉枠側に突出してストライクと称する受け具２に係合するものは、全て含まれる。反転ラッチ７の形態については特に図示しないが、本実施例では特公平２−１６５９１号公報に開示されている反転ラッチが採用されている。
【００２３】
ここで、反転ラッチ７の構成について簡単に説明する。７ａは受け具２の開口縁と摺接する垂直状態の衝止面である。７ｂは反転ラッチ７の上下面からそれぞれ突出する小突起部で、これらの小突起部７ｂはラッチの回転軸としての機能を有する。７ｃはラッチの被係合面を有する後端部で、この後端部７ｃにはラッチバネの先端部を支持するバネ端収納部が形成されている。
【００２４】
次に２１は、錠箱６内の先端部に固定的に配設された断面コ字型の反転ラッチ用支持枠で、この支持枠２１の下壁には、反転ラッチの進退動方向に切欠部２２が形成されている。
【００２５】
次に１９は電気式駆動源（例えばソレノイド）で、この電気式駆動源１９は錠箱６内の後端部に固定的に配設されている。本実施例ではソレノイド１９を採用し、該ソレノイド１９は錠箱６内の縦断面垂直の取付け板２３に縦方向に固定され、その作動杆２４の先端部は下方に指向している。２５は作動杆２４に巻装され、かつ作動杆を常時伸長方向に付勢するバネである。したがって、作動杆２４はこのバネ２５のバネ力に抗して収縮する。
ところで、ラッチ錠Ｙのロッキングピース８に対する係止解除機構４０が内外の操作部材１０，１１のいずれかの一方の操作力に基づく場合（手動式操作機構である場合）には、その作動部材４０は、例えば左右のレバープレート４２、４２と、これらのレバープレートのいずれかによって押圧される従動係合部材４３とから成る。
【００２６】
付言すると、手動式の係止解除機構４０は、挿入駆動片１０ａ、１１ｂのいずれが水平方向へ移動すると、該挿入駆動片の駆動力（操作力）により左右の固定軸２６、２６をそれぞれ支点に所要量回転する左右一組のレバープレート４２、４２と、これらの内の一方のレバープレート４２に押圧されかつ錠箱６内の上方に位置する固定軸２７を支点に所要量回転する従動係合片４３とから成る。
【００２７】
そして、ロッキングピース８は、錠箱６内の下方に位置する固定軸２８に軸支され、前記従動係合片４３に押圧されると、前記固定軸２８を支点にして付勢バネ２９のバネ力に抗して解錠方向へ位置変位可能である。
【００２８】
なお、ロッキングピース８を解錠位置へと変位させる構成は本実施形態に限定されるものではなく、特に図示しないが、カム部材と、該カム部材に連動するスライダーとから成る実施形態であっても良い（カムの原理を採用するスライダー方式）。
これに対して、電気式の係止解除機構４０は、例えば電気式駆動源１９の駆動力により固定軸（横軸）２８を支点に所要量回転するアーム状制御部材３０が必要であり、ロッキングピース８は前記アーム状制御部材３０の指先状先端部３０ｃに押圧されると、固定軸２８を支点に所要量回転可能である。
【００２９】
ここで、さらにアーム状の制御部材３０の構成を説明する。３０ａは後端部、３０ｂは後端部から垂直状に延びかつ軸孔を有する枢支部である。一方、３０ｃは指先状先端部である。しかして、指先状先端部寄りの幅広部位には不番の軸孔が形成されている。また、指先状先端部３０ｃと後端部３０ａの間には下向きコ字状の中間部３０ｄが連設し、該中間部３０ｄの下方には、前述した錠箱６の貫通窓６ａと、該貫通窓６ａに嵌挿された外側の操作部材１１の挿入駆動片１１ａ（ハッチング箇所）が見える。
【００３０】
付言すると、アーム状制御部材３０の後端部３０ａは、例えば電動式駆動源１９側の不番枢支軸を介して作動杆２４に連結されている。またその指先状先端部３０ｃは錠箱６に横設軸架した下方の横軸２８に軸支されている。したがって、アーム状制御部材３０は作動杆２４に引っ張られると、横軸２８を支点に回転するので、制御部材３０は、別体のロッキングピース８との関係では、制御機能或いはリリース機能を発揮する。
【００３１】
ここで、図３を基準にして、反転ラッチ７と係脱するロッキングピース８を説明する。３１はアングル状の受け壁で、この受け壁３１は親指状に垂直方向へ延在する第１被押圧部３１ａ及び水平方向へ延在する第２被押圧部３１ｂを有している。そして、その中央部には、前述した横軸２８が貫通する不番の軸孔が形成されている。
【００３２】
しかして、前記第１被押圧部３１ａには、上端部が上方の固定軸２７を介して軸支された従動係合片４３の垂直下端部（不番押圧部）が接触状態に係合する。一方、前記第２被押圧部３１ｂの内壁上面には、アーム状制御部材３０の指先状先端部３０ｃが乗っかるように係合する。
【００３３】
また受け壁３１の第１被押圧部の先端部には、前述したラッチ用支持枠２１の切欠部２２から入り込んで反転ラッチ７の後端部と係合する突片状ストッパー部３２が設けられている。さらに、付勢バネ２９は横軸２８に巻装され、かつロッキングピース８を常時反転ラッチ７に係合する方向に付勢している。
【００３４】
ところで、図７で示すように、本実施形態では、錠箱６の底壁内面の反転ラッチ用支持枠２１の下位に検知センサー１２が配設されている。この検知センサー１２は、例えばロッキングピース８のストッパー部分３２の下面に小突起状に設けられた押圧突起３３と接触可能な接点や可動接片１２ａを有するマイクロセンサーが採用されている。検知センサー１２は、ロッキングピース８が解錠位置へと変位すると、該ロッキングピース８の解錠状態を検出する。
【００３５】
（３）作用１
図８及び図９を参照にして、係止解除機構４０が手動式で作動する場合について説明する。図８は閉扉時、ロッキングピース８が反転ラッチ７を係止している状態である。一方、図９は操作部材の操作力によって係止解除機構４０が作動し、ロッキングピース８が係止解除の位置へと回動（揺動）した状態である。
【００３６】
前述したように、レバープレート４２の対向側の上下端部４２ａは、それぞれ操作部材１０、１１の挿入駆動片１０ａ、１１ａを受ける受け部分の役割を果たす。これに対して、例えば左側のレバープレート４２の非対向側の側壁には、従動係合片４３及びロッキングピース８の各被押圧部にそれぞれ当接係合する不番の突起状押圧部が設けられている。
【００３７】
そこで、例えば上方に位置する内側の操作部材１０を扉３の内壁面に向かってプッシュすると、左側のレバープレート４２は左側の支軸２６を支点にして傾倒状態に回転することから、従動係合片４３及びロッキングピース８は、それぞれ連動して反転ラッチ７の係止状態を解く方向へと回転する（手動式で反転ラッチの係止を解除）。
【００３８】
そして、ロッキングピース８が解錠位置へと変位すると、検知センサー１２は、例えば接触式でロッキングピース８が解除位置になったことを検知する。この検知信号は制御部１３に送られる。制御部１３は検知信号を取得すると、扉３の自由端部３ａに設けられた扉開放用アシスト装置Ｚを制御する。
【００３９】
（４）作用２
次に、図３及び図１０を参照にして、係止解除機構４０が電動式で作動する場合について説明する。前述したように、図３はロッキングピース８が反転ラッチ７を係止している施錠状態である。この場合電動式駆動源１９の作動杆２４が下方方向に伸長しているので、外観上、蛇のように延びたアーム状制御部材３０の後端部３０ａと指先状先端部３０ｃとはバランスを保って略水平状態であり、ロッキングピース８のストッパー部３２は支持枠１１内に突出し、反転ラッチ７に対するストッパー機能を発揮している。それ故に、反転ラッチ７は反転しながら後退することができない。
【００４０】
そこで、図１０で示すように、電気式駆動源１９の駆動力により、作動杆２４が上方方向に収縮すると、アーム状制御部材３０は、横軸２８を支点に反時計方向へと回転する。その結果、アーム状制御部材３０は傾倒し、ロッキングピース８のストッパー部３２は、支持枠２１の切欠部２２へと引っ込む。そこで、ロッキングピース８が解錠位置へと変位すると、検知センサー１２はロッキングピース８が解除位置になったことを検知する。この検知信号は制御部１３に送られ、制御部１３は検知信号を取得すると、扉３の自由端部３ａに設けられた扉開放用アシスト装置Ｚを制御する。
【００４１】
（５）扉開放用アシスト装置Ｚ
扉開放用アシスト装置Ｚは、実施形態では図５及び図６で示す「扉用の内外気圧差解消装置」の一例が採用されている。もちろん、扉用の内外気圧差解消装置Ｚは、これに限定されるものではなく、アシスト駆動源、伝動機構、押圧部分等を適宜に選定することができる。
【００４２】
図５及び図６に於いて、前述したように、１７はアシスト駆動源（例えば駆動モータ）、１８はアシストケースである。したがって、５１は駆動モータ１７の回転軸、５２は回転軸に設けられた円筒ウォーム、５３は円筒ウォームに噛合するようにアシストケース１８に軸支５４されたウォームホイール、１６はウォームホイールに係合（噛合）するラック５６を一側上面に有すると共に、その先端部に傾斜状係合先端面５７（図６参照）を有するピストル形状の摺動式押圧部材、５８は摺動式押圧部材の先端部の下方に固定されバネ端支持部材、５９はバネ端支持部材と摺動式押圧部材の垂直下端部との間に配設された復帰バネである。扉用の内外気圧差解消装置Ｚは、これらの構成部材をアシストケース１８に内装し、前述したアシスト駆動源１７は制御部１３と電気的に接続している。
【００４３】
ここで、扉枠１に設けた当接部１５の傾斜状受け面１５ａ又は滑動ローラ１５ａ（実施形態）と摺動式押圧部材１６との関係について簡単に説明する。
【００４４】
図１１及び図１２で示すように、開扉時、アシスト駆動源１７の駆動力によって、伝動機構５２、５３、５６を介して摺動式押圧部材１６が復帰バネ５９のバネ力に抗して前進すると、その傾斜状係合先端面５７が扉枠側の当接部１５の滑動ローラ１５ａに圧接する。そうすると、前記滑動ローラ１５ａと傾斜状係合先端面５７同士の当りが、扉３の開く方向に突出分力の一部として作用する。付言すると、この実施形態の扉開放用アシスト装置Ｚは、扉をこじ開けるようにして扉自体に開放方向に分力の一部を与えるので、図１２で示すように、扉３は矢印Ａ方向に開く。そこで、本発明の扉錠Ｘは、身体障害者、子供、老人にとっては、操作部材を操作する際、つまり、扉を開く際に非常に助かる。
【実施例】
【００４５】
検知センサー１２は、マイクロセンサー、リミットセンサー、接近センサー、圧力センサー、その他センサーを適宜選定することができる。なお、検知センサー１２の配設箇所は実施形態に限定されるものではなく、ロッキングピース８の解除位置を検知することができるように適宜箇所に配設することができる。
【００４６】
また、扉用の内外気圧差解消装置Ｚの摺動式押圧部材１６は、回転式押圧部材を含む二物品に構成するなど、出願人が日本国特許庁に提案したものを適宜に選定することができる。
【００４７】
すなわち、本願の出願日前に出願公開された特開２００５−１２７０４４、特開２０１２−１５４１１０（スイング押圧体のもの）、特開２０１２−１５８８９４、特開２０１２−９２６４１等の公開公報に記載されたものや、未公開の特願２０１１−１９５５６６、特願２０１１−２４９２３５、特願２０１１−２５６９６３、特願２０１１−２６５８４５等の公開公報に記載されたものから、動力伝動機構及び押圧部材の構成を適宜に選定することができる。
【００４８】
さらに、アシスト駆動源１７をソレノイドに設計変更することもできる。この場合には、テコ式原理を採用して押圧部材１６を前進させる。
【産業上の利用可能性】
【００４９】
本発明は、主に建具や錠前の業界で利用される。
【図面の簡単な説明】
【００５０】
図１乃至図１３は本発明の一実施形態を示す各説明図。
【図１】扉の外壁面側から見た全体の概略説明図。
【図２】斜視からの概略説明図。
【図３】錠前Ｙの構成を示す概略断面説明図。
【図４】扉枠１、扉３、錠前Ｙ等の平面視からの概略説明図。
【図５】扉開放用アシスト装置Ｚの一例を示す概略説明図。
【図６】扉開放用アシスト装置Ｚの平面視からの概略説明図。
【図７】検知センサー１２の一例を示す概略説明図。
【図８】係止解除機構４０が手動式で作動する場合の概略説明図（係止状態）。
【図９】係止解除機構４０が手動式で作動する場合の概略説明図（手動で解除）。
【図１０】係止解除機構４０が電動式で作動する場合の概略説明図（電動で解除）。
【図１１】扉開放用アシスト装置Ｚが作動した場合の正面視からの説明図。
【図１２】図１１に於いて、平面視からの説明図。
【図１３】制御回路の概略的なブロック図。
【符号の説明】
【００５１】
Ｘ…扉錠、Ｙ…錠前、Ｚ…扉開放用アシスト装置（内外気圧差解消装置）、1…扉枠、２…受け具、３…扉、５…取付け座、６…錠箱、６ａ…貫通窓、７…錠杆（反転ラッチ）、８…ロッキングピース、１０…内側の操作部材、１１…外側の操作部材、１０ａ、１１ａ…挿入駆動片、１２…検知センサー、１２ａ…接点や可動接片、１３…制御部材、１５…当接部、１５ａ…受け面又は滑動ローラ、１６…摺動式又は回転式押圧部材、１７…アシスト駆動源、１８…アシストケース、１９…電気式駆動源、２１…ラッチ用支持枠、２２…切欠部、２４…作動杆、２６…固定支軸、２７…固定軸（上方）、２８…固定軸（下方）、２９…付勢バネ、３０…制御部材、３１…アングル状の受け壁、３２…ストッパー部、３３…押圧突起、４０…係止解除機構、４２・４３…作動部材（４２…レバープレート、４３…従動係合片）、５１…回転軸、５２…円筒ウォーム、５３…ウォームホイール、５６…ラック、５９…復帰バネ。
【図１】
2014118780.tif 000003
【図２】
2014118780.tif 000004
【図３】
2014118780.tif 000005
【図４】
2014118780.tif 000006
【図５】
2014118780.tif 000007
【図６】
2014118780.tif 000008
【図７】
2014118780.tif 000009
【図８】
2014118780.tif 000010
【図９】
2014118780.tif 000011
【図１０】
2014118780.tif 000012
【図１１】
2014118780.tif 000013
【図１２】
2014118780.tif 000014
【図１３】
2014118780.tif 000015